(57)【要約】【課題】接点部にゴミや油等の物質があっても接点部を確実に導通する。【解決手段】振動発生装置１は、筐体３内に格納した振動モータ５に導通する接点部１７を備えた基台１５を設け、この基台１５に対して接近、離間する方向に変位可能なスイッチ操作部材１１を設け、このスイッチ操作部材１１で作動するスイッチ用ダイヤフラム２１により電源７に導通するものである。前記スイッチ用ダイヤフラム２１は、外周がほぼ円形で可撓性を備えた椀型形状をなすと共に前記接点部１７をほぼ中央にして覆う状態で上記の基台とスイッチ操作部材１１との間に配置されるドーム状部材２５と、このドーム状部材２５のほぼ中央部に凸面側の外方と凹面側の内方との両方向に突出した突起部２７，２９と、からなる。スイッチ操作部材１１により加えられた荷重はドーム状部材２５のほぼ中央部に設けた突起部２７，２９に集中するので、突起部２９が接点部に確実に接触し導通する。【選択図】　　　図１
2004055235.tif 000002
【特許請求の範囲】
【請求項１】
外周がほぼ円形で可撓性を備えた椀型形状をなすドーム状部材と、このドーム状部材のほぼ中央部に凸面側の外方と凹面側の内方との両方向、あるいは前記外方、内方のいずれか一方に突出した突起部と、から構成してなることを特徴とするスイッチ用ダイヤフラム。
【請求項２】
前記突起部が、凸面側の外方と凹面側の内方との両方向の突起のいずれか一方をドーム状部材の中央側に設け、他方をその外周側に環状に設けてなることを特徴とする請求項１記載のスイッチ用ダイヤフラム。
【請求項３】
前記突起部が、ドーム状部材のほぼ中央部に設けた穴部と、この穴部に嵌着されて凸面側の外方と凹面側の内方のいずれか一方へ突出する中央突起部とこの中央突起部の外周側で前記中央突起部の突起方向と反対方向に突出する外周突起部とを備えるボス部と、から構成してなることを特徴とする請求項１記載のスイッチ用ダイヤフラム。
【請求項４】
前記突起部が、ドーム状部材のほぼ中央部で外方に向けて突出する外方突起部であることを特徴とする請求項１記載のスイッチ用ダイヤフラム。
【請求項５】
前記各突起部が、ドーム状部材のほぼ中央部を中心とする環状に配置されていることを特徴とする請求項１〜４のうちのいずれか一つに記載のスイッチ用ダイヤフラム。
【請求項６】
基台を設け、この基台に対して接近、離間する方向に変位可能なスイッチ操作部材を設け、基台又はスイッチ操作部材に接点部を設け、外周がほぼ円形で可撓性を備えた椀型形状をなすドーム状部材と、このドーム状部材のほぼ中央部に凸面側の外方と凹面側の内方との両方向、あるいは前記外方、内方のいずれか一方に突出した突起部と、から構成するスイッチ用ダイヤフラムを設け、このスイッチ用ダイヤフラムを前記接点部をほぼ中央にして覆う状態で前記基台とスイッチ操作部材との間に配置せしめてなることを特徴とするスイッチ。
【請求項７】
前記突起部が、凸面側の外方と凹面側の内方との両方向の突起のいずれか一方をドーム状部材の中央側に設け、他方をその外周側に環状に設けてなることを特徴とする請求項６記載のスイッチ。
【請求項８】
前記突起部が、ドーム状部材のほぼ中央部に設けた穴部と、この穴部に嵌着されて凸面側の外方と凹面側の内方のいずれか一方へ突出する中央突起部とこの中央突起部の外周側で前記中央突起部の突起方向と反対方向に突出する外周突起部とを備えるボス部と、から構成してなることを特徴とする請求項６記載のスイッチ。
【請求項９】
前記突起部が、ドーム状部材のほぼ中央部で外方に向けて突出する外方突起部であることを特徴とする請求項６記載のスイッチ。
【請求項１０】
前記各突起部が、ドーム状部材のほぼ中央部を中心とする環状に配置されていることを特徴とする請求項６〜９のうちのいずれか一つに記載のスイッチ。
【請求項１１】
筐体内に振動モータを格納すると共にこの振動モータに導通する接点部を備えた基台を設け、この基台に対して接近、離間する方向に変位可能なスイッチ操作部材を設け、外周がほぼ円形で可撓性を備えた椀型形状をなすドーム状部材と、このドーム状部材のほぼ中央部に凸面側の外方と凹面側の内方との両方向、あるいは前記外方、内方のいずれか一方に突出した突起部と、からなるスイッチ用ダイヤフラムを設け、このスイッチ用ダイヤフラムを前記接点部をほぼ中央にして覆う状態で前記基台とスイッチ操作部材との間に配置せしめ、このスイッチ用ダイヤフラムと前記スイッチ操作部材との間に電源を設けてなることを特徴とする振動発生装置。
【請求項１２】
前記電源が、前記スイッチ用ダイヤフラムとスイッチ操作部材との間に接触して前記スイッチ操作部材と共に変位可能な電池であることを特徴とする請求項１１記載の振動発生装置。
【発明の詳細な説明】
【０００１】
【発明の属する技術分野】
この発明は、スイッチ用ダイヤフラム及びスイッチ並びに前記スイッチを用いた振動発生装置に関する。
【０００２】
【従来の技術】
従来、おもちゃなどの内部に内蔵されている振動発生装置は、振動モータと、基板と、電池と、この電池の電源と振動モータとの導通をＯＮ、ＯＦＦせしめるスイッチとからなる構造で、大型になっていたが、以下のように小型化された振動発生装置が提案されている。
【０００３】
図１０を参照するに、従来の小型化された振動発生装置１０１としては、例えば筐体１０３内に、回転して振動を発生する扁平型の小型直流振動モータ１０５と、この振動モータ１０５を回転せしめる電源としての例えばボタン電池１０７と、このボタン電池１０７から振動モータ１０５へ供給される電流をＯＮ、ＯＦＦせしめるスイッチ１０９と、このスイッチ１０９のＯＮ、ＯＦＦ動作を操作するスイッチ操作部材としての例えばスクリューキャップ１１１が格納されている。
【０００４】
上記の筐体１０３は上面に開口部１１３を有するほぼ円筒形をなし、金属製で通電可能となっている。上記の振動モータ１０５は筐体１０３の底部に導通するように格納されており、振動モータ１０５の上部にはスイッチ１０９の一部を構成する円板形状をなす基台１１５が設けられており、この基台１１５のほぼ中央部には振動モータ１０５に導通する接点部１１７を備え、振動モータ１０５と筐体１０３と接触する箇所である基台１１５の外周縁には絶縁部１１９が備えられている。
【０００５】
また、上記の基台１１５の絶縁部１１９にはスイッチ１０９の一部を構成するスイッチ用ダイヤフラム１２１が載置されており、スイッチ用ダイヤフラム１２１の上部には上記のボタン電池１０７の下面全面の例えばマイナス（−）電極部が導通して設けられている。また、筐体１０３の開口部１１３にはねじ部１２３が設けられ、このねじ部１２３にスクリューキャップ１１１が螺合して筐体１０３と導通状態にあり、上記の基台１１５に対して接近、離間する方向に変位可能となっている。したがって、スクリューキャップ１１１の下面がボタン電池１０７の上面全面のプラス（＋）電極部に導通した状態でスイッチ用ダイヤフラム１２１を下方へ押圧可能に設けられている。
【０００６】
上記のスイッチ用ダイヤフラム１２１は、ドーム状部材１２５が外周をほぼ円形で可撓性を備えたほぼ中央部が凸面となる椀型形状をなしている。
【０００７】
上記の振動発生装置１０１は、例えばスクリューキャップ１１１が１８０°ほど回されることにより、図１１に示されているようにボタン電池１０７を介してドーム状部材１２５が下方へ押圧されると、ドーム状部材１２５が可撓性を有しているので上記の凸面が下方へ撓んで凹面となり、この凹面の下面のほぼ中央が接点部１１７に接触し導通してスイッチ１０９がＯＮ状態になる。振動モータ１０５が電気的につながり回転して振動が発生し、筐体１０３の全体が振動する。
【０００８】
また、スクリューキャップ１１１が逆方向に回されて上昇することにより、スイッチ用ダイヤフラム１２１が原位置に復帰し、ドーム状部材１２５の下面が接点部１１７から離反してスイッチ１０９がＯＦＦとなる。
【０００９】
【発明が解決しようとする課題】
ところで、従来の振動発生装置１０１においては、ドーム状部材１２５が下方へ押圧されたとき、図１１に示されているように凹面の状態が大きな半径の湾曲形状となるために、前記凹面の下面と接点部１１７との接触面積が大きくなるので、スクリューキャップ１１１による荷重を確実に接点部１１７へ伝達することが難しくなり、前記凹面の下面と接点部１１７との接触状態が信頼性に欠けるという問題点があった。特に、接点部１１７の上面にゴミや油等のように非導電性あるいは導通しにくい物質が介在しているときには導通が安定しないという問題点があった。
【００１０】
この発明は上述の課題を解決するためになされたもので、その目的は、たとえスイッチの接点部にゴミや油等の物質があっても接点部が確実に導通する信頼性の高い安定したクリック感を得るようにしたスイッチ用ダイヤフラム及びスイッチ及び前記スイッチを用いた振動発生装置を提供することにある。
【００１１】
【課題を解決するための手段】
上記目的を達成するために請求項１によるこの発明のスイッチ用ダイヤフラムは、外周がほぼ円形で可撓性を備えた椀型形状をなすドーム状部材と、このドーム状部材のほぼ中央部に凸面側の外方と凹面側の内方との両方向、あるいは前記外方、内方のいずれか一方に突出した突起部と、から構成してなることを特徴とするものである。
【００１２】
したがって、ドーム状部材のほぼ中央部に凸面側の外方と凹面側の内方との両方向に突出した突起部を設けたので、上方から加えられた荷重はドーム状部材のほぼ中央に集中し、外方の突起部から内方の突起部へ確実に伝達されて下方に設けた接点部に接触する。また、内方の突起部と接点部との接触面積が小さいために荷重が集中するので、たとえ接点部の上にゴミや油などが介在しても突起部が接点部に確実に接触して安定した導通となる。外方、内方のいずれか一方に突出した突起部を設けた場合も、上方から加えられた荷重はドーム状部材のほぼ中央にある前記突起部に集中して下方へ押圧されるので、ドーム状部材の下面が確実に接点部に接触する。
【００１３】
請求項２によるこの発明のスイッチ用ダイヤフラムは、請求項１記載のスイッチ用ダイヤフラムにおいて、前記突起部が、凸面側の外方と凹面側の内方との両方向の突起のいずれか一方をドーム状部材の中央側に設け、他方をその外周側に環状に設けてなることを特徴とするものである。
【００１４】
したがって、外周側の突起部がドーム状部材の中央側の突起部の周囲に環状であるので、上方から加えられた荷重が外方の突起部から内方の突起部へ均等に伝達され、下方に設けた接点部に確実に接触し、安定した導通となる。
【００１５】
請求項３によるこの発明のスイッチ用ダイヤフラムは、請求項１記載のスイッチ用ダイヤフラムにおいて、前記突起部が、ドーム状部材のほぼ中央部に設けた穴部と、この穴部に嵌着されて凸面側の外方と凹面側の内方のいずれか一方へ突出する中央突起部とこの中央突起部の外周側で前記中央突起部の突起方向と反対方向に突出する外周突起部とを備えるボス部と、から構成してなることを特徴とするものである。
【００１６】
したがって、中央突起部とこの中央突起部の外周側の外周突起部とを備えたボス部は単独で製作し、このボス部はドーム状部材のほぼ中央部の穴部へ簡単に一体的に装着される。このボス部の中央突起部と外周突起部がドーム状部材の凸面側の外方と凹面側の内方との両方向に突出した突起部となるので、上方から加えられた荷重はドーム状部材のほぼ中央に集中し、外方の突起部から内方の突起部へ確実に伝達されて下方に設けた接点部に接触する。
【００１７】
請求項４によるこの発明のスイッチ用ダイヤフラムは、請求項１記載のスイッチ用ダイヤフラムにおいて、前記突起部が、ドーム状部材のほぼ中央部で外方に向けて突出する外方突起部であることを特徴とするものである。
【００１８】
したがって、上方から加えられた荷重はドーム状部材のほぼ中央にある外方突起部に集中して下方へ押圧されるので、外方突起部の付け根付近のドーム状部材の下面が確実に接点部に接触する。
【００１９】
請求項５によるこの発明のスイッチ用ダイヤフラムは、請求項１〜４のうちのいずれか一つに記載のスイッチ用ダイヤフラムにおいて、前記各突起部が、ドーム状部材のほぼ中央部を中心とする環状に配置されていることを特徴とするものである。
【００２０】
したがって、前記各突起部が、ドーム状部材のほぼ中央部を中心とする環状に配置されているので、上方から加えられた荷重は各突起部へ均等に伝達され、下方に設けた接点部に確実に接触し、安定した導通となる。
【００２１】
請求項６によるこの発明のスイッチは、基台を設け、この基台に対して接近、離間する方向に変位可能なスイッチ操作部材を設け、基台又はスイッチ操作部材に接点部を設け、外周がほぼ円形で可撓性を備えた椀型形状をなすドーム状部材と、このドーム状部材のほぼ中央部に凸面側の外方と凹面側の内方との両方向、あるいは前記外方、内方のいずれか一方に突出した突起部と、から構成するスイッチ用ダイヤフラムを設け、このスイッチ用ダイヤフラムを前記接点部をほぼ中央にして覆う状態で前記基台とスイッチ操作部材との間に配置せしめてなることを特徴とするものである。
【００２２】
したがって、ドーム状部材のほぼ中央部に凸面側の外方と凹面側の内方との両方向に突出した突起部を設けたので、スイッチ操作部材により上方から加えられた荷重はドーム状部材のほぼ中央に集中し、外方の突起部から内方の突起部へ確実に伝達されて下方に設けた接点部に接触する。また、内方の突起部と接点部との接触面積が小さいために荷重が集中するので、たとえ接点部の上にゴミや油などが介在しても突起部が接点部に確実に接触して安定した導通となる。外方、内方のいずれか一方に突出した突起部を設けた場合も、スイッチ操作部材により上方から加えられた荷重はドーム状部材のほぼ中央にある前記突起部に集中して下方へ押圧されるので、ドーム状部材の下面が確実に接点部に接触する。
【００２３】
請求項７によるこの発明のスイッチは、請求項６記載のスイッチにおいて、前記突起部が、凸面側の外方と凹面側の内方との両方向の突起のいずれか一方をドーム状部材の中央側に設け、他方をその外周側に環状に設けてなることを特徴とするものである。
【００２４】
したがって、外周側の突起部がドーム状部材の中央側の突起部の周囲に環状であるので、上方から加えられた荷重が外方の突起部から内方の突起部へ均等に伝達され、下方に設けた接点部に確実に接触し、安定した導通となる。
【００２５】
請求項８によるこの発明のスイッチは、請求項６記載のスイッチにおいて、前記突起部が、ドーム状部材のほぼ中央部に設けた穴部と、この穴部に嵌着されて凸面側の外方と凹面側の内方のいずれか一方へ突出する中央突起部とこの中央突起部の外周側で前記中央突起部の突起方向と反対方向に突出する外周突起部とを備えるボス部と、から構成してなることを特徴とするものである。
【００２６】
したがって、中央突起部とこの中央突起部の外周側の外周突起部とを備えたボス部は単独で製作し、このボス部はドーム状部材のほぼ中央部の穴部へ簡単に一体的に装着される。このボス部の中央突起部と外周突起部がドーム状部材の凸面側の外方と凹面側の内方との両方向に突出した突起部となるので、上方から加えられた荷重はドーム状部材のほぼ中央に集中し、外方の突起部から内方の突起部へ確実に伝達されて下方に設けた接点部に接触する。
【００２７】
請求項９によるこの発明のスイッチは、請求項６記載のスイッチにおいて、前記突起部が、ドーム状部材のほぼ中央部で外方に向けて突出する外方突起部であることを特徴とするものである。
【００２８】
したがって、上方から加えられた荷重はドーム状部材のほぼ中央にある外方突起部に集中して下方へ押圧されるので、外方突起部の付け根付近のドーム状部材の下面が確実に接点部に接触する。
【００２９】
請求項１０によるこの発明のスイッチは、請求項６〜９のうちのいずれか一つに記載のスイッチにおいて、前記各突起部が、ドーム状部材のほぼ中央部を中心とする環状に配置されていることを特徴とするものである。
【００３０】
したがって、前記各突起部が、ドーム状部材のほぼ中央部を中心とする環状に配置されているので、上方から加えられた荷重は各突起部へ均等に伝達され、下方に設けた接点部に確実に接触し、安定した導通となる。
【００３１】
請求項１１によるこの発明の振動発生装置は、筐体内に振動モータを格納すると共にこの振動モータに導通する接点部を備えた基台を設け、この基台に対して接近、離間する方向に変位可能なスイッチ操作部材を設け、外周がほぼ円形で可撓性を備えた椀型形状をなすドーム状部材と、このドーム状部材のほぼ中央部に凸面側の外方と凹面側の内方との両方向、あるいは前記外方、内方のいずれか一方に突出した突起部と、からなるスイッチ用ダイヤフラムを設け、このスイッチ用ダイヤフラムを前記接点部をほぼ中央にして覆う状態で前記基台とスイッチ操作部材との間に配置せしめ、このスイッチ用ダイヤフラムと前記スイッチ操作部材との間に電源を設けてなることを特徴とするものである。
【００３２】
したがって、スイッチ操作部材が基台に対して接近する方向に移動されると、スイッチ操作部材により上方から加えられた荷重は電源を介してスイッチ用ダイヤフラムのドーム状部材のほぼ中央部に設けた外方と内方との両方向、あるいは前記外方、内方のいずれか一方に突出した突起部に集中するので、ドーム状部材の下面が下方の接点部に確実に接触し導通してスイッチがＯＮ状態になる。振動モータが回転して振動が発生し、筐体全体が振動する。なお、ドーム状部材の下面と接点部との接触面積が小さいために荷重が集中するので、たとえ接点部の上にゴミや油などが介在しても突起部が接点部に確実に接触して安定した導通となる。
【００３３】
また、スイッチ操作部材が基台に対して離間する方向に移動されると、ドーム状部材が原位置に復帰し、ドーム状部材の下面が接点部から離反してスイッチがＯＦＦとなる。
【００３４】
請求項１２によるこの発明の振動発生装置は、請求項１１記載の振動発生装置において、前記電源が、前記スイッチ用ダイヤフラムとスイッチ操作部材との間に接触して前記スイッチ操作部材と共に変位可能な電池であることを特徴とするものである。
【００３５】
したがって、電源が、スイッチ用ダイヤフラムとスイッチ操作部材との間に接触して前記スイッチ操作部材と共に変位可能な例えばボタン電池であれば、コンパクトな振動発生装置となる。
【００３６】
【発明の実施の形態】
以下、この発明の実施の形態について図面を参照して説明する。
【００３７】
図１を参照するに、この実施の形態に係わる振動発生装置１は、筐体３内に、回転して振動を発生する振動モータ５と、この振動モータ５を回転せしめる電源としての例えばボタン電池７と、このボタン電池７から振動モータ５へ供給される電流をＯＮ、ＯＦＦせしめるスイッチ９と、このスイッチ９のＯＮ、ＯＦＦ動作を操作するスイッチ操作部材としての例えばスクリューキャップ１１が格納されている。
【００３８】
この実施の形態では、上記の筐体３は上面に開口部１３を有するほぼ円筒形をなし、金属製で通電可能となっている。上記の振動モータ５としては例えば扁平型の振動モータで、筐体３の底部に導通するように格納されている。振動モータ５の上部にはスイッチ９の一部を構成する円板形状をなす基台１５が設けられており、この基台１５のほぼ中央部には振動モータ５に導通する接点部１７を備え、振動モータ５と筐体３と接触する箇所である基台１５の外周縁には全周に亘って環状に絶縁部１９が備えられている。
【００３９】
また、上記の基台１５の絶縁部１９にはスイッチ９の一部を構成するスイッチ用ダイヤフラム２１が載置されており、スイッチ用ダイヤフラム２１の上部には上記のボタン電池７の下面全面の例えばマイナス（−）電極部が導通して設けられている。また、筐体３の開口部１３にはねじ部２３が設けられ、このねじ部２３にスクリューキャップ１１が螺合して筐体３と導通状態にあり、上記の基台１５に対して接近、離間する方向に変位可能となっている。したがって、スクリューキャップ１１の下面がボタン電池７の上面全面のプラス（＋）電極部に導通した状態でスイッチ用ダイヤフラム２１を下方へ押圧可能に設けられている。なお、スクリューキャップ１１の上部には手で回すための図示せざるつまみ部が設けられている。
【００４０】
次に、この発明の実施の形態の主要部を構成するスイッチ用ダイヤフラム２１及びスイッチ９についてより詳しく説明する。
【００４１】
図１と図３を併せて参照するに、スイッチ用ダイヤフラム２１は、この実施の形態では、ドーム状部材２５が外周をほぼ円形で可撓性を備えた椀型形状をなしており、このドーム状部材２５のほぼ中央部には図１において下側の凹面側の内方に突出した内方突起部２７と、図１において上側の凸面側の外方に突出した外方突起部２９と、から構成される突起部３１が設けられている。この実施の形態の突起部３１としては、内方突起部２７がドーム状部材２５のほぼ中央部に設けられ、外方突起部２９が前記内方突起部２７の外周側に内方突起部２７を中心とした環状に設けられている。
【００４２】
なお、上記の突起部３１としては、図１の状態とは逆に、ドーム状部材２５のほぼ中央部に外方突起部２９が設けられ、この外方突起部２９の外周側に環状の内方突起部２７が設けられるように構成されても構わない。
【００４３】
次に、この実施の形態のスイッチ９について説明すると、スイッチ９としての基本的な構成としては、前述した基台１５と、この基台１５に対して接近、離間する方向に変位可能なスイッチ操作部材としての例えば前述したスクリューキャップ１１と、上述したスイッチ用ダイヤフラム２１と、このスイッチ用ダイヤフラム２１との導通がＯＮ、ＯＦＦする接点部１７と、から構成される。なお、図１のボタン電池７は他の箇所に設けられても構わないので、スイッチ９の基本的な構成部材ではない。
【００４４】
なお、他の実施の形態としては、上記の接点部１７は基台１５又はスイッチ操作部材としてのスクリューキャップ１１のいずれかに設けられ、スイッチ用ダイヤフラム２１は上記の接点部１７をほぼ中央にして覆う状態で上記の基台１５とスイッチ操作部材としてのスクリューキャップ１１との間に配置されても構わない。
【００４５】
上記構成により、図１に示されているスクリューキャップ１１が例えば１８０°ほど回されることにより、図２に示されているようにボタン電池７を介してスイッチ用ダイヤフラム２１の外方突起部２９が下方へ押圧されると、スイッチ用ダイヤフラム２１が可撓性を有しているので下方へ撓んで内方突起部２７が基台１５のほぼ中央部にある接点部１７に確実に接触し導通してスイッチ９がＯＮ状態になる。
【００４６】
より詳しくは、ドーム状部材２５のほぼ中央を中心とする環状に配置されている外方突起部２９へ均等に加えられた荷重は同心円にある中央の内方突起部２７に集中して確実に伝達されることと、内方突起部２７と接点部１７との接触面積が小さくなることから、たとえ接点部１７上にゴミや油などが介在しても内方突起部２７が接点部１７に確実に接触して安定した導通となる。したがって、振動モータ５が電気的につながり回転して振動が発生し、筐体３の全体が振動することとなる。
【００４７】
なお、スクリューキャップ１１が逆方向に回されて上昇することにより、スイッチ用ダイヤフラム２１が原位置に復帰し、内方突起部２７が接点部１７から離反してスイッチ９がＯＦＦとなる。
【００４８】
図４（Ａ），（Ｂ）を参照するに、他の実施の形態のスイッチ用ダイヤフラム３３について説明すると、ドーム状部材３５が外周をほぼ円形で可撓性を備えた椀型形状をなしており、このドーム状部材３５のほぼ中央部には穴部３７が設けられており、この穴部３７に一体的に装着されるボス部３９が設けられている。このボス部３９は、上記の穴部３７に嵌着される中央突起部４１と、この中央突起部４１の外周側で中央突起部４１の突起方向と反対方向に突出する外周突起部４３と、から構成されるものである。
【００４９】
この実施の形態では、上記の中央突起部４１が図４（Ａ）において上側から穴部３７へ嵌着され、溶接や接着などにより一体的に装着されることによりドーム状部材３５の内方に向けて突出する内方突起部として構成され、必然的に前記外周突起部４３がドーム状部材３５の外方に向けて突出する外方突起部として構成されることになる。
【００５０】
なお、上記の中央突起部４１が図４（Ａ）において下側から穴部３７へ一体的に嵌着されることにより、中央突起部４１がドーム状部材３５の外方に向けて突出する外方突起部として構成され、必然的に外周突起部４３がドーム状部材３５の内方に向けて突出する内方突起部として構成されても構わない。
【００５１】
以上のように、ボス部３９は単独で製作でき、このボス部３９はドーム状部材３５の穴部３７へ簡単に装着できるので、生産性の高いスイッチ用ダイヤフラム３３を提供できる。
【００５２】
図５（Ａ），（Ｂ）を参照するに、さらに別の実施の形態のスイッチ用ダイヤフラム４５について説明すると、ドーム状部材４７が外周をほぼ円形で可撓性を備えた椀型形状をなしており、このドーム状部材４７のほぼ中央部には図５（Ａ）において上側の凸面側の外方に突出した突起部４９が設けられている。なお、上記の突起部４９としては、図５（Ａ）において下側の凹面側の内方に突出されても構わない。
【００５３】
以上のことから、ドーム状部材４７へ加えられた荷重はドーム状部材４７のほぼ中央にある外方の突起部４９に集中して下方へ押圧されるので、突起部４９の付け根付近のドーム状部材４７の下面が接点部１７に確実に接触することとなる。
【００５４】
図６（Ａ），（Ｂ）を参照するに、さらに別の実施の形態のスイッチ用ダイヤフラム５１について説明すると、ドーム状部材５３が外周をほぼ円形で可撓性を備えた椀型形状をなしており、このドーム状部材５３のほぼ中央部にはドーム状部材５３のほぼ中央部を中心とする環状をなすように図６（Ａ）において上側の凸面側の外方に突出した外方突起部５５が設けられ、この外方突起部５５の外周側にはドーム状部材５３のほぼ中央部を中心とする環状をなすように図６（Ａ）において下側の凹面側の内方に突出した内方突起部５７が設けられている。
【００５５】
以上のように、ドーム状部材５３はその中央に位置する外方突起部５５がドーム状部材５３の中央部を中心とする環状に配置されていることにより、ドーム状部材５３へ加えられた荷重は外方突起部５５から同心円に環状に配置されている他の内方突起部５７に均等に集中して確実に伝達されるので、たとえ接点部１７の上にゴミや油などが介在しても内方突起部５７が接点部１７に確実に接触し、信頼性の高い安定した導通を得ることができる。
【００５６】
いずれにしても、前述した図１〜図６に示されている実施の形態の各スイッチ用ダイヤフラム２１，３３，４５，５１においても、それぞれのドーム状部材２５，３５，４７，５３の中央に位置する各突起部が、各ドーム状部材の中央を中心とする環状に配置されても構わない。これにより、上記の図６の実施の形態のスイッチ用ダイヤフラム５１と同様の作用、効果が得られる。
【００５７】
また、ドーム状部材のほぼ中央部に凸面側の外方と凹面側の内方との両方向に突出した突起部を設けた場合は、外方、内方のいずれか一方に突出した突起部を設けた場合と比較して、クラックを発生しないように歪みを抑えながら成形加工できるという点でより一層望ましい。
【００５８】
また、この発明のスイッチ用ダイヤフラムは、ドーム状部材のほぼ中央部に前述したような突起部を設けたので、従来のスイッチ用ダイヤフラムと違って、スイッチの高さを必要とするときに無理なく高くすることができる。
【００５９】
次に、前述した実施の形態に用いられる振動モータ５としての例えば扁平型の小型直流振動モータについて図面を参照して説明する。
【００６０】
図７及び図８を参照するに、小型振動モータ５は、固定子５９と、この固定子５９に回転自在に装着された回転子６１と、この回転子６１を密閉する円筒形状のモータハウジング６３とより構成されている。
【００６１】
前記固定子５９は、円盤状のプレート６５と、このプレート６５上にＳ極とＮ極が交互に並ぶように、環状に配置されて軸方向に着磁された４つの永久磁石６７と、前記プレート６５の中央から立ち上がる前記回転子６１の支持用の支持軸６９と、周方向に隣接する永久磁石６７の間の隙間からプレート６５の中心部に向かって延びる９０度の空間位相をもって配置された２つのブラシ７１Ａ、７１Ｂと、から構成されている。なお、前記プレート６５の周縁にはブラシ７１Ａに連結する＋端子７３と、ブラシ７１Ｂに連結する−端子７５が設けられている。
【００６２】
また、前記回転子６１は、前記支持軸６９に回転自在に支持される上下方向へ延伸した回転軸７７と、この回転軸７７の周方向に固定された電機子７９と、前記回転軸７７の外周面に配置され、周方向に６分割された整流子８１Ａ、８１Ｂ（コンミテータ）とを備えて構成されている。この整流子８１Ａ、８１Ｂは前記ブラシ７１Ａ、７１Ｂと共に電流路形成手段を構成している。
【００６３】
前記電機子７９は、同一心円上に巻回された第１コイル８３と第２コイル８５と、第３コイル８７と、振動子としての例えば分銅８９と、上記の第１コイル８３、第２コイル８５、第３コイル８７、分銅８９を一体的に支持する樹脂フレーム９１と、から構成されている。
【００６４】
以上の構成により、上記の第１コイル８３と第２コイル８５と第３コイル８７との合計３つのコイルに整流子８１Ａ、８１Ｂを介して電流が供給されると、その電流の向きと永久磁石６７からの磁力線の向きとによってフレミングの左手の法則により回転子６１の回転方向が決定される。整流子８１Ａ、８１Ｂを介した電流は、２つ以上のコイル８３、８５（８７）に同時に供給され、少なくともそのうちの例えば２つのコイル８３、８５は他のコイル８７の影響より勝るため、回転子６１の停止位置に拘わらず、再起動が可能となる。
【００６５】
第１コイル８３、第２コイル８５、第３コイル８７は、例えば図９（Ａ），（Ｂ）に示されているようにスター結線される。各整流子８１Ａ、８１Ｂは相対向するもの同士が接続され、これらの接続された各整流子８１Ａ、８１Ｂのペアがそれぞれ第１コイル８３の一端、第２コイル８５の一端および第３コイル８７の一端にそれぞれ接続されている。
【００６６】
第１コイル８３、第２コイル８５、第３コイル８７の他端は共通接続されている。この各整流子８１Ａ、８１Ｂに対して９０度の空間位相差をもって配置されたブラシ７１Ａ、７１Ｂから電流が流れる。このブラシ７１Ａ、７１Ｂは、回転子６１の回転に伴って、第１コイル８３、第２コイル８５、第３コイル８７の各一端に接続された整流子８１Ａ、８１Ｂに順次接続される。
【００６７】
これにより、図９（Ａ）に示されているように、回転子６１が回転してブラシ７１Ａ、７１Ｂの一方が各整流子８１Ａ、８１Ｂの境界に位置したとき、電源からブラシ７１Ａ→整流子８１Ａ、８１Ｂ→第１乃至第３コイル８３、８５、８７→整流子８１Ａ、８１Ｂ→ブラシ７１Ｂ→接地の経路で電流が流れる。また、図９（Ｂ）に示されているように、回転子６１が回転してブラシ７１Ａ、７１Ｂが整流子８１Ａ、８１Ｂとそれぞれ接触したとき、電源からブラシ７１Ａ→整流子８１Ａ、８１Ｂ→第２コイル８５、第１コイル８３→整流子８１Ａ、８１Ｂ→ブラシ７１Ｂ→接地の経路で電流が流れる。
【００６８】
このように、この直流振動モータ５は３コイルであるから、ブラシ７１Ａ、７１Ｂの片方が整流子８１Ａ、８１Ｂの隣接する分割片の中間位置に位置し、隣接する分割片がブラシ７１Ａ又はブラシ７１Ｂによって短絡されるようにしても、必ず電源間には、第１コイル８３、第２コイル８５、第３コイル８７のうちの少なくとも２つが介在するので短絡電流は流れず、電源ショートは発生しない。
【００６９】
なお、この発明は前述した実施の形態に限定されることなく、適宜な変更を行うことによりその他の態様で実施し得るものである。この実施の形態ではモータとして扁平型の小型直流振動モータを例にとって説明したが他の振動モータ５や各種小型モータあるいはその他のモータであっても構わない。
【００７０】
また、この発明のスイッチ用ダイヤフラムがドーム状部材のほぼ中央部に凸面側の外方と凹面側の内方との両方向に突出した突起部を備えている場合、このスイッチ用ダイヤフラムがキースイッチとして用いられると、上下の電極が平坦な場合でも安定したクリック感を得ることができる。
【００７１】
【発明の効果】
以上のごとき発明の実施の形態の説明から理解されるように、請求項１の発明によれば、ドーム状部材のほぼ中央部に凸面側の外方と凹面側の内方との両方向に突出した突起部を設けたことにより、上方から加えられた荷重をドーム状部材のほぼ中央に集中できるので、外方の突起部から内方の突起部へ確実に伝達して下方に設けた接点部に確実に接触できる。また、内方の突起部と接点部との接触面積が小さいために荷重を集中できるので、たとえ接点部の上にゴミや油などが介在しても突起部を接点部に確実に接触せしめて安定した導通とすることができる。外方、内方のいずれか一方に突出した突起部を設けた場合も、上方から加えられた荷重をドーム状部材のほぼ中央にある前記突起部に集中せしめて下方へ押圧できるので、ドーム状部材の下面を接点部に確実に接触できる。
【００７２】
請求項２の発明によれば、外周側の突起部をドーム状部材の中央側の突起部の周囲に環状に設けたので、上方から加えられた荷重を外方の突起部から内方の突起部へ均等に伝達でき、下方に設けた接点部に確実に接触せしめ、安定した導通とすることができる。
【００７３】
請求項３の発明によれば、中央突起部とこの中央突起部の外周側の外周突起部とを備えたボス部を単独で製作でき、このボス部をドーム状部材のほぼ中央部の穴部へ簡単に一体的に装着できるので、スイッチ用ダイヤフラムを容易に製作できる。また、ボス部の中央突起部と外周突起部がドーム状部材の凸面側の外方と凹面側の内方との両方向に突出した突起部となるので、上方から加えられた荷重をドーム状部材のほぼ中央に集中でき、外方の突起部から内方の突起部へ確実に伝達して下方に設けた接点部に確実に接触できる。
【００７４】
請求項４の発明によれば、上方から加えられた荷重をドーム状部材のほぼ中央にある外方突起部に集中せしめて下方へ押圧できるので、外方突起部の付け根付近のドーム状部材の下面を確実に接点部に接触できる。
【００７５】
請求項５の発明によれば、各突起部を、ドーム状部材のほぼ中央部を中心とする環状に配置したことにより、上方から加えられた荷重を各突起部へ均等に伝達できるので、下方に設けた接点部に確実に接触でき、安定した導通とすることができる。
【００７６】
請求項６の発明によれば、ドーム状部材のほぼ中央部に凸面側の外方と凹面側の内方との両方向に突出した突起部を設けたことにより、スイッチ操作部材により上方から加えられた荷重をドーム状部材のほぼ中央に集中できるので、外方の突起部から内方の突起部へ確実に伝達して下方に設けた接点部に確実に接触できる。また、内方の突起部と接点部との接触面積が小さいために荷重を集中できるので、たとえ接点部の上にゴミや油などが介在しても突起部を接点部に確実に接触せしめて安定した導通とすることができる。外方、内方のいずれか一方に突出した突起部を設けた場合も、上方から加えられた荷重をドーム状部材のほぼ中央にある前記突起部に集中せしめて下方へ押圧できるので、ドーム状部材の下面を接点部に確実に接触できる。
【００７７】
請求項７の発明によれば、外周側の突起部をドーム状部材の中央側の突起部の周囲に環状に設けたので、上方から加えられた荷重を外方の突起部から内方の突起部へ均等に伝達でき、下方に設けた接点部に確実に接触せしめ、安定した導通とすることができる。
【００７８】
請求項８の発明によれば、上方から加えられた荷重をドーム状部材のほぼ中央にある外方突起部に集中せしめて下方へ押圧できるので、外方突起部の付け根付近のドーム状部材の下面を確実に接点部に接触できる。
【００７９】
請求項９の発明によれば、上方から加えられた荷重をドーム状部材のほぼ中央にある外方突起部に集中せしめて下方へ押圧できるので、外方突起部の付け根付近のドーム状部材の下面を確実に接点部に接触できる。
【００８０】
請求項１０の発明によれば、各突起部を、ドーム状部材のほぼ中央部を中心とする環状に配置したことにより、上方から加えられた荷重を各突起部へ均等に伝達できるので、下方に設けた接点部に確実に接触でき、安定した導通とすることができる。
【００８１】
請求項１１の発明によれば、スイッチ操作部材を基台に対して接近する方向に移動すると、スイッチ操作部材により上方から加えられた荷重を、電源を介してスイッチ用ダイヤフラムのドーム状部材のほぼ中央部に設けた外方と内方との両方向、あるいは前記外方、内方のいずれか一方に突出した突起部に集中できるので、ドーム状部材の下面を下方の接点部に確実に接触し導通せしめてスイッチをＯＮ状態にできる。振動モータの振動発生により筐体全体を振動せしめることができる。なお、ドーム状部材の下面と接点部との接触面積が小さいために荷重を集中できるので、たとえ接点部の上にゴミや油などが介在しても突起部を接点部に確実に接触せしめて安定した導通とすることができる。
【００８２】
また、スイッチ操作部材を基台に対して離間する方向に移動すると、ドーム状部材が原位置に復帰するので、ドーム状部材の下面を接点部から離反せしめてスイッチをＯＦＦにできる。
【００８３】
請求項１２の発明によれば、電源を、スイッチ用ダイヤフラムとスイッチ操作部材との間に接触して前記スイッチ操作部材と共に変位可能な例えばボタン電池とすることにより、コンパクトな振動発生装置にできる。
【図面の簡単な説明】
【図１】この発明の実施の形態の振動発生装置の概略的な断面図である。
【図２】図１の振動発生装置においてスイッチがＯＮ状態にある概略的な断面図である。
【図３】図１における矢視ＩＩＩ−ＩＩＩ線の部分的な平面図である。
【図４】この発明の他の実施の形態のスイッチ用ダイヤフラムを示すもので、（Ａ）は縦断面図で、（Ｂ）は平面図である。
【図５】この発明の別の実施の形態のスイッチ用ダイヤフラムを示すもので、（Ａ）は縦断面図で、（Ｂ）は平面図である。
【図６】この発明のさらに別の実施の形態のスイッチ用ダイヤフラムを示すもので、（Ａ）は縦断面図で、（Ｂ）は平面図である。
【図７】この発明の実施の形態で用いられる小型直流振動モータの分解斜視図である。
【図８】図７の小型直流振動モータの平面図である。
【図９】（Ａ）、（Ｂ）は図７の小型直流振動モータの回路図である。
【図１０】従来の振動発生装置の概略的な断面図である。
【図１１】図１０の振動発生装置においてスイッチがＯＮ状態にある概略的な断面図である。
【符号の説明】
１　振動発生装置
３　筐体
５　振動モータ（小型直流振動モータ）
７　ボタン電池（電源）
９　スイッチ
１１　スクリューキャップ（スイッチ操作部材）
１５　基台
１７　接点部
２１　スイッチ用ダイヤフラム
２５　ドーム状部材
２７　内方突起部
２９　外方突起部
【図１】
2004055235.tif 000003
【図２】
2004055235.tif 000004
【図３】
2004055235.tif 000005
【図４】
2004055235.tif 000006
【図５】
2004055235.tif 000007
【図６】
2004055235.tif 000008
【図７】
2004055235.tif 000009
【図８】
2004055235.tif 000010
【図９】
2004055235.tif 000011
【図１０】
2004055235.tif 000012
【図１１】
2004055235.tif 000013